(57)【要約】【課題】  ＩＣカード機能を併せ持った携帯端末の利用タイミングで、利用者に関連する情報、例えば利用者情報（ユーザ情報）、利用場所、利用用途などの情報を取得し、該情報を元に、利用者が予め設定した例えば嗜好情報や利用者の利用履歴情報などから利用者の嗜好を判断し、該判断して得られた嗜好に合致又は近い各種情報を携帯端末に配信し得るシステムを提供すること。【課題手段】  携帯端末と、該携帯端末の情報を読み取る読み取り装置と、該読み取り装置で読み取った情報をもとに携帯端末の利用者が所望するサービスを可能とするセンターサーバとからなる情報配信サービスシステムにおいて、携帯端末の固体識別情報をもって携帯端末の利用者が各種登録情報の配信サービスを希望しているか否かを判定し、希望している場合には携帯端末側の嗜好情報に合致する登録データをサーバ側から通信網を介して携帯端末に送信する情報配信サービスシステム。【選択図】図１
2007026013.tif 000002
【特許請求の範囲】
【請求項１】
携帯端末と、該携帯端末の情報を読み取る読み取り装置と、該読み取り装置で読み取った情報をもとに携帯端末の利用者が所望するサービスを可能とするセンターサーバとからなる情報配信サービスシステムにおいて、
上記携帯端末は、固体識別情報及び登録嗜好情報を記憶する記憶媒体と、上記嗜好情報の登録入力を可能とするインターフェース部とを備え、
上記読み取り装置は、上記携帯端末の固体識別情報、登録嗜好情報を読み取る読取部と該読み取った情報及び上記携帯端末の利用場所、利用用途を含む利用情報をセンターサーバに送信する送信部及びセンターサーバ側に登録された各種登録情報を受信する受信部とを備え、
上記センターサーバは、上記読み取り装置からの固体識別情報、登録嗜好情報、利用情報を受信する受信部と、該固体識別情報を利用者情報データベースに蓄積するとともに該固体識別情報をもって携帯端末の利用者が各種登録情報の配信サービスを希望しているか否かを判定する固体識別判定部と、サービス希望のとき該固体識別情報、利用情報、登録嗜好情報を利用者嗜好情報履歴データベースに蓄積するとともにこれらの情報及び利用者嗜好情報履歴データベースの情報とから利用者の嗜好を判断する嗜好情報判定部と、上記判定された嗜好情報を受け、該嗜好情報を元に上記各種登録情報を蓄積している各種登録データベースを検索し、該嗜好に合致する登録データを取出す登録データ検索部と、上記登録データ検索部にて検索され、取出された登録データを通信網を介して上記携帯端末に送信するデータ送信部とを備えたことを特徴とする情報配信サービスシステム。
【請求項２】
上記各種登録データベースの登録情報が、交通機関、店舗、気象予報会社、美術館、博物館、出版社に関連する列車運行情報、セールス情報、クーポン情報、気象情報、展示会情報の何れか一つ又は複数の情報である請求項１記載の情報配信サービスシステム。
【発明の詳細な説明】
【技術分野】
【０００１】
本発明は携帯端末を利用して所望の情報サービスを得ることが可能な情報配信サービスシステムに関する。
【背景技術】
【０００２】
携帯端末の普及に伴い、該携帯端末への新しいサービス、例えば携帯端末の利用エリアに関連する地図などの情報をメールで配信するサービスが提供されている。このサービスは予め利用者がエリア登録を行うなどの登録操作が必要であり、利用者の移動に対応することができない。また、従来のサービスでは、情報が配信されるタイミングや配信情報の内容は不特定多数を対象にしていることから、利用者にとって本当に必要な情報を得ることには限界がある。
【０００３】
本発明はかかる点に鑑みなされたものであり、その目的は携帯端末の利用タイミングで、利用者自身が望んでいるような情報、例えば嗜好や利用場所、利用用途に基づいて情報のサービスを得ることが可能なシステムを提供することにある。
【０００４】
【特許文献１】特開２００５−３３６１２号公報
【発明の開示】
【発明が解決しようとする課題】
【０００５】
上記目的を達成するため、本発明は例えばＩＣカード機能を併せ持った携帯端末の利用タイミングで、利用者に関連する情報、例えば利用者情報（ユーザ情報）、利用場所、利用用途などの情報を取得し、該情報を元に、利用者が予め設定した例えば嗜好情報や利用者の利用履歴情報などから利用者の嗜好を判断し、該判断して得られた嗜好に合致又は近い各種情報を携帯端末に配信するシステム構成とする。
【課題を解決するための手段】
【０００６】
携帯端末と、該携帯端末の情報を読み取る読み取り装置と、該読み取り装置で読み取った情報をもとに携帯端末の利用者が所望するサービスを可能とするセンターサーバとからなる情報配信サービスシステムにおいて、携帯端末の固体識別情報をもって携帯端末の利用者が各種登録情報の配信サービスを希望しているか否かを判定し、希望している場合には携帯端末側の嗜好情報に合致する登録データをサーバ側から通信網を介して携帯端末に送信する情報配信サービスシステム。
【発明の効果】
【０００７】
本発明によれば、携帯端末の利用タイミングで、利用者が所望する情報又はそれに近い情報を容易に入手できるサービスを得ることが可能である。
【発明を実施するための最良の形態】
【０００８】
以下に本発明の実施の形態を説明する。
【実施例１】
【０００９】
本発明は以下を考慮してなされたものである。即ち、携帯端末に対してユーザ自身のユーザ情報を入力するインタフェースを持ち、さらに、携帯端末を使用した状況により自動的に環境情報や位置情報や嗜好性情報などを格納することができる携帯端末、また前記ユーザ情報、環境情報や位置情報や嗜好性情報などを、集中管理しているセンター設備に対して出力することが可能な携帯端末、また前記情報管理装置から送られてきた各ユーザ用にカスタマイズ、かつ、選定された一般情報を取得し、表示する携帯端末。
【００１０】
前記携帯端末から送られてきたユーザ情報や環境情報や位置情報や嗜好性情報を関連付けて管理するデータベースを含む情報管理装置、また前記携帯端末から送られてきた現在の環境情報や位置情報などと、前記情報管理装置で管理されているユーザ情報や環境情報や位置情報や嗜好性情報などから、現在のステータスに最適な情報を、予め管理しているもしくはリアルタイムで取得する、地域情報、ニュース、店舗情報、天気予報、等の一般的な情報を各ユーザに対してカスタマイズし、かつ、選定して出力する情報管理装置。
【００１１】
携帯端末に対してユーザ自身のユーザ情報を入力するインタフェースを持ち、さらに、携帯端末を使用した状況により自動的に環境情報や位置情報や嗜好性情報などを携帯端末に格納することができる情報取得配信方式、また前記ユーザ情報や、環境情報や位置情報や嗜好性情報などを、集中管理しているセンター設備に対して出力する情報取得配信方式、また前記携帯端末から送られてきたユーザ情報や環境情報や位置情報や嗜好性情報を関連付けて管理する情報取得配信方式、また前記携帯端末から送られてきた現在の環境情報や位置情報などと、前記情報管理装置で管理されているユーザ情報や環境情報や位置情報や嗜好性情報などから、現在のステータスに最適な情報を、予め管理しているもしくはリアルタイムで取得する、地域情報、ニュース、店舗情報、天気予報、等の一般的な情報を各ユーザに対してカスタマイズし、かつ、選定して出力する情報取得配信方式、また。前記情報管理装置から送られてきた各ユーザ用にカスタマイズ、かつ、選定された一般情報を取得し、表示する情報取得配信方式。
【００１２】
以下、本発明の実施例について詳細に説明する。
【００１３】
図1は本発明の情報配信システムの概要を示す概略図である。図２は図１を模式的に表したブロック面である。例として、図２を用いてシステムの概要を説明する。
【００１４】
ＩＣチップ１０６が埋め込まれたＩＣカード機能を持つ携帯端末１０１を、利用者がＩＣカード読み取り機１０２で利用した際に、ＩＣチップ１０６がもつ識別情報をＩＣカード読み取り機１０２が取得する。取得した情報は、利用用途とＩＣカード読み取り機１０２の設置されている場所の情報と共に情報管理装置を構成するセンターサーバ１０３に送信される。センターサーバ１０３では、受信した情報を元に、利用者の登録状態をデータベース１０４から検索する。利用者が利用登録している場合は、利用者の過去の利用履歴、利用場所、利用用途、ＩＣチップ１０６に登録された情報から利用者の嗜好を判断する。
【００１５】
センターサーバでは判断した利用者の嗜好を元に、データベース１０４から、交通機関、飲食店、小売店、出版社等から提供された各種登録データから、嗜好に合致する登録データを検索する。検索された登録データは、電波基地局のアンテナ１０５を通じて、携帯端末１０１に送信される。
【００１６】
一例として、図２に示した情報送信システムを各ブロックにわけて、図３から図５で説明する。
【００１７】
図３は図２中の、携帯端末１０１からＩＣカード読み取り機１０２までのデータの流れを示すものである。携帯端末２０１に埋め込まれたＩＣチップ２０６は、ＩＣチップ固有のＩＤ２０９と、利用者が登録した嗜好情報２１０とを持つ。嗜好情報２１０は利用者の嗜好情報を表すビットフラグで、利用者はクレードル２０７または携帯端末内のアプリケーション２０８で嗜好情報２１０を設定する。設定時の画面イメージを２１３に示す。  
ＩＣカード読み取り機２０２は、例として駅の改札、小売店レジ、キオスク端末などを想定している。ＩＣカード読み取り部２０３は、携帯端末２０１が接触、またはＩＣチップ２０６より発せられる電波が読み取る事ができる距離に携帯端末がかざされた際に、ＩＣチップ２０６に記録された情報を読み取る部位である。
【００１８】
携帯端末２０１の利用時に、ＩＣカード読み取り部２０３でＩＣチップ２０６からＩＣチップＩＤ２０９と登録嗜好情報２１０を取得する。データ送信部２０４は、インターネットを通じて、ＩＣカード読み取り部２０３が読み取ったデータを送信する部位である。データ送信部２０４で、ＩＣカード読み取り機が設置されている場所を表す利用場所情報２１１と、駅改札利用、映画館でチケットを購入、等の利用用途情報２１２を付け加えてセンターサーバ３０１へ送信される。
【００１９】
図４は図２内のセンターサーバ１０３とデータベース１０４とのデータの流れを示すものである。ＩＣカード読み取り機２０２から送信されたＩＣチップＩＤ２０９、登録嗜好情報２１０、利用場所情報２１１、利用用途情報２１２は、センターサーバ３０１のデータ受付部３０２で受信する。受信した情報は、データ判定部３０３で個体識別判定３０４と嗜好情報判定３０５の処理に用いられる。個体識別判定３０４は、ＩＣチップＩＤ２０９を元に、利用者情報ＤＢ３０６より利用登録フラグ２１３を検索する。利用登録フラグ２１３は、情報送信サービスを利用するか、しないかを表す情報である。利用情報フラグ２１３が利用するだった場合、データ判定部３０３は嗜好情報判定３０５に処理を進める。
【００２０】
嗜好情報判定３０５は、登録嗜好情報２１０や利用場所２１１、利用用途２１２と、利用者嗜好情報履歴ＤＢ３０７に蓄積された、過去の利用場所、過去の利用用途等の情報から総合的に利用者の嗜好を判断する処理である。また、利用場所２１１、利用用途２１２の情報を利用者嗜好情報履歴ＤＢ３０７に蓄積登録する処理も行う。
【００２１】
嗜好情報判定処理例として、特定の駅を頻繁に利用する場合、その駅を通っている路線の列車運行情報嗜好情報として登録し、また特定の小売店で頻繁に利用する場合、その小売店を嗜好情報として登録し、クーポン情報やセール情報を送信するように登録する、などの処理を行う。
【００２２】
嗜好情報判定３０５は利用者のＩＣチップ利用用途を蓄積判断する事で、利用者が登録した登録嗜好情報２１０に加えて、利用者の嗜好により適しているであろうと判断された情報をも送信する事で、利用者の登録操作は簡易であるが、利用するにつれてよりきめの細かく嗜好に沿ったサービスの提供を可能とする。嗜好情報判定３０５が終了すると、処理はデータ判定部３０３からデータ送信受付部３０８へと進む。
【００２３】
データ送信受付部３０８は利用者の嗜好情報について嗜好情報判定処理３０５で判定された嗜好情報を元に、携帯端末２０１に送信するデータを各種登録データＤＢ３１０から検索する部位である。
【００２４】
各種登録データＤＢには、交通機関や、小売店、飲食店、気象予報会社、美術館や博物館、出版社などが、列車の運行情報やセール情報、クーポン情報（店舗情報）、展示会情報等の情報各種を登録することを想定している。
【００２５】
登録データの検索には、登録嗜好情報２１０とかこの嗜好情報２１４、利用場所２１１、利用用途２１２を用いる。例えば、利用場所が上野駅改札で、過去の嗜好情報で博物館観覧の嗜好情報が登録されていた場合、利用者の携帯端末に上野周辺の博物館で開催中の展示プログラムが送信情報として選択される。このように、嗜好情報に合致する情報があった場合は、データ送信部３１１より携帯端末２０１へ、嗜好に合致する登録データ２１５が送信される。
【００２６】
図５は図２で基地局のアンテナ１０５から携帯端末１０１に情報が送信されるデータの流れを示した物である。
【００２７】
嗜好に合致する登録データ２１５は携帯端末２０１に送信される。携帯端末４０１に情報が送信されると、情報が着信したことを表す画面が表示され、利用者は情報が送信されてきた事を認識する。利用者が情報を閲覧する場合は、その画面に表示されたリンク等より送信されてきた各種情報を参照可能な画面４０２へと移動する。  
画面４０２より、より詳細な情報を参照する場合は、画面４０２に示されたリンクより情報を閲覧する事ができる。
【００２８】
図６はセンターサーバ、データベースで管理する情報の例を挙げ、個人宛ての情報を生成するまでの流れを示した図である。
【００２９】
第一の例として、ユーザが福岡に旅行で出かけた場合を想定して情報の処理の仕方を説明する。
【００３０】
まず、ユーザが携帯端末を駅で利用したタイミングで自動でセンターサーバにアクセスし、利用者情報ＤＢの利用者登録フラグより当該ユーザは情報配信を許諾されたユーザであることを判断する。
【００３１】
その後、利用者嗜好情報履歴ＤＢの処理に移る。まず、時刻情報である現在時刻が１２時であること、行動パターンである通常の行動パターンのエリア外であることより、地域特有の有名レストラン情報を提供すべきと判断する。そこで福岡地方の有名ラーメン店が抽出条件と判断する。
【００３２】
さらに、ユーザの過去の嗜好情報よりあっさり系が好みと判断し、現在のステータスにおける最適な嗜好情報は福岡地方の有名なあっさりとんこつラーメン店と判断する。
【００３３】
これらの利用者嗜好情報履歴ＤＢにおける処理を行うことにより、膨大な量のユーザ嗜好情報を、現在の時刻、位置等のステータス情報により予め絞り込むことが可能となる。
【００３４】
その後、各種登録データの処理に移る。まずは位置情報より福岡地方の店舗のみ抽出する。その後、利用者嗜好情報履歴ＤＢの処理によって絞り込んだユーザ嗜好情報を考慮して既に登録してあるラーメン店情報から最適な店舗を抽出する。
【００３５】
また、場合により登録データとして予め登録してある集計データより最新の人気ラーメン店の上位ランキングに位置している店舗のみさらに抽出する事も可能である。
【００３６】
上記フィルタリング処理により、現在の時間、位置、ユーザ嗜好、一般集計データ等を考慮した最適な情報をユーザの携帯端末にピンポイントで配信することが可能となる。
【産業上の利用可能性】
【００３７】
本発明は、例えば各個人が所有する携帯電話、ＰＤＡ等のモバイル端末を用いた個人宛ての有益な情報の配信に利用することが可能である。
【図面の簡単な説明】
【００３８】
【図１】携帯端末を用いた情報配信の全体イメージ図である。
【図２】携帯端末を用いた情報配信の全体を模式的に表した図である。
【図３】携帯端末とＩＣカード読み取り機のデータの流れを示した図である。
【図４】センターサーバとデータベースのデータの流れを示した図である。
【図５】センターサーバから配信されたデータを携帯端末で表示するイメージ図である。
【図６】データベースで管理するデータを示した図である。
【符号の説明】
【００３９】
１０１：携帯端末  
１０２：ＩＣカード読み取り機
１０３：センターサーバ
１０４：データベース
１０５：アンテナ
１０６：ＩＣチップもしくは電波発信装置
２０１：携帯端末
２０２：ＩＣカード読み取り機
２０３：ＩＣカード読み取り
２０４：データ送信部
２０５：データ受信部
２０６：ＩＣチップ
２０７：クレードル
２０８：アプリケーション
２０９：固体識別ＩＤ
２１０：登録嗜好情報
２１１：利用場所
２１２：利用用途
２１３：利用登録状態
２１４：過去の嗜好情報
２１５：嗜好に合致する登録データ
３０１：センターサーバ
３０２：データ受付部
３０３：データ判定部
３０４：固体識別判定
３０５：嗜好情報判定
３０６：利用者情報ＤＢ
３０７：利用者嗜好情報履歴ＤＢ
３０８：データ送信受付部
３０９：登録データ検索
３１０：各種登録データ
３１１：データ送信部
４０１：携帯端末
４０２：リンク先に遷移した携帯端末画面
【図１】
2007026013.tif 000003
【図２】
2007026013.tif 000004
【図３】
2007026013.tif 000005
【図４】
2007026013.tif 000006
【図５】
2007026013.tif 000007
【図６】
2007026013.tif 000008